(57)【要約】【課題】  印刷物によるＰＲ効果を高めることができる印刷物処理システムを提供する。【解決手段】  印刷物４１の撮像結果から、その特徴点を検出し、当該特徴点に予め対応付けられた画像を表示する処理を行う。例えば、撮像手段３１により印刷物４１を撮像した撮像画像をディスプレイ３５に表示した画面上において、撮像画像と関連付けて立体画像を表示する処理、動く画像を表示する処理、文字に対応付けられた画像を表示する処理のいずれかを行う。【選択図】図１
2020009282.tif 000002
【特許請求の範囲】
【請求項１】
拡張現実用の特徴点を含む印刷が施された印刷物を製造する印刷物製造手段と、
前記印刷物の撮像結果から、前記特徴点を検出し、当該特徴点に予め対応付けられた画像を表示する処理を行う拡張現実処理手段と
を有する印刷物処理システム。
【請求項２】
前記撮像結果は携帯通信装置に内蔵されたカメラの撮像結果であり、
前記拡張現実処理手段は、前記撮像結果から前記特徴点を抽出し、当該抽出した特徴点に予め対応付けられた画像を記憶手段から読み出し、当該読み出した画像を前記携帯通信装置のディスプレイに標示する処理を行う
請求項１に記載の印刷物処理システム。
【請求項３】
前記印刷物は、パンフレット又はカタログであり、
前記拡張現実処理手段は、
前記携帯通信装置で前記印刷物を撮像した撮像画像を前記ディスプレイに表示した画面上において、前記撮像画像と関連付けて立体画像を表示する処理、動く画像を表示する処理、文字に対応付けられた画像を表示する処理のいずれかを行う
請求項２に記載の印刷物処理システム。
【請求項４】
前記拡張現実処理手段は、前記抽出した特徴を通信網を介してサーバに送信し、前記サーバから受信した前記画像を前記携帯通信装置のディスプレイに標示する処理を行う
請求項２又は請求項３に記載の印刷物処理システム。
【発明の詳細な説明】
【技術分野】
【０００１】
本発明は、印刷物にＡＲ（拡張現実）を提供した印刷物処理システムに関するものである。
【背景技術】
【０００２】
カタログやチラシ等の印刷物の効果を高めるために、様々なデザイン的な工夫が施されている。
【発明の概要】
【発明が解決しようとする課題】
【０００３】
しかしながら、印刷物に描かれた文字や絵柄を２次元かつ静的なデザイン的に工夫するのみではＰＲ効果に限界がある。
【０００４】
本発明はかかる事情に鑑みてなされたものであり、その目的は、印刷物によるＰＲ効果を高めることができる印刷物処理システムを提供することにある。
【課題を解決するための手段】
【０００５】
本発明の印刷物処理システムは、上述した従来技術の問題点に鑑みてなされ、拡張現実用の特徴点を含む印刷が施された印刷物を製造する印刷物製造手段と、前記印刷物の撮像結果から、前記特徴点を検出し、当該特徴点に予め対応付けられた画像を表示する処理を行う拡張現実処理手段とを有する。
【０００６】
好適には、前記撮像結果は携帯通信装置に内蔵されたカメラの撮像結果であり、前記拡張現実処理手段は、前記撮像結果から前記特徴点を抽出し、当該抽出した特徴点に予め対応付けられた画像を記憶手段から読み出し、当該読み出した画像を前記携帯通信装置のディスプレイに標示する処理を行う。
【０００７】
好適には、前記印刷物は、パンフレット又はカタログであり、前記拡張現実処理手段は、前記携帯通信装置で前記印刷物を撮像した撮像画像を前記ディスプレイに表示した画面上において、前記撮像画像と関連付けて立体画像を表示する処理、動く画像を表示する処理、文字に対応付けられた画像を表示する処理のいずれかを行う。
【０００８】
好適には、前記拡張現実処理手段は、前記抽出した特徴を通信網を介してサーバに送信し、前記サーバから受信した前記画像を前記携帯通信装置のディスプレイに標示する処理を行う。
【発明の効果】
【０００９】
本発明によれば、印刷物によるＰＲ効果を高めることができる印刷物処理システムを提供することができる。
【図面の簡単な説明】
【００１０】
【図１】図１は、本発明の実施形態に係る印刷物処理システムの構成図である。
【図２】図２は、図１に示す印刷物処理システムにおいて、拡張現実処理手段がディスプレイに表示する画像の一例を説明するため図である。
【図３】図３は、図１に示す印刷物処理システムにおいて、拡張現実処理手段がディスプレイに表示する画像の一例を説明するため図である
【図４】図４は、図１に示す印刷物処理システムにおいて、拡張現実処理手段がディスプレイに表示する画像の一例を説明するため図である。
【図５】図５は、図１に示す印刷物処理システムにおいて、拡張現実処理手段がディスプレイに表示する画像の一例を説明するため図である
【図６】図６は、図１に示す印刷物処理システムの作用について説明するためのフローチャートである。
【発明を実施するための形態】
【００１１】
以下、本発明の実施形態に係る印刷物処理システムについて説明する。
図１は、本発明の実施形態に係る印刷物処理システム１の構成図である。
図１に示すように、印刷物処理システム１は、例えば、印刷物製造手段１１及び携帯通信装置２１を有する。
印刷物製造手段１１は、例えば、パンフレット等の印刷物４１を製造する。
印刷物４１は、拡張現実用の特徴点を含む印刷が施されている。
【００１２】
携帯通信装置２１は、例えば、撮像手段３１、通信手段３３、ディスプレイ３５及び拡張現実処理手段３７を有する。
携帯通信装置２１は、例えば、スマートフォン等の通信端末装置である。
撮像手段３１は、印刷物４１を撮像し、その撮像結果である撮像画像をメモリに記憶する。
通信手段３３は、例えば、サーバ３と通信を行う機能を提供する。
ディスプレイ３５は、拡張現実処理手段３７の処理に応じた画像を表示する。
【００１３】
拡張現実処理手段３７は、印刷物４１の撮像結果から、その特徴点を検出し、当該特徴点に予め対応付けられた画像を表示する処理を行う。
具体的には、拡張現実処理手段３７は、撮像手段３１の撮像結果からその特徴点を抽出し、当該抽出した特徴点を含む要求を通信手段３３を介してサーバ３に送信する。
【００１４】
サーバ３は、特徴点と画像とを予め対応付けており、拡張現実処理手段３７からの要求に応じて、当該要求に含まれる特徴点に対応付けられた画像を取得して通信手段３３に送信する。
拡張現実処理手段３７は、通信手段３３がサーバ３から受信した画像をディスプレイ３５に表示する処理を行う。
拡張現実処理手段３７は、携帯通信装置２１にプログラムとしてインストールされている。
【００１５】
拡張現実処理手段３７は、例えば、撮像手段３１により印刷物４１を撮像した撮像画像をディスプレイ３５に表示した画面上において、撮像画像と関連付けて立体画像を表示する処理、動く画像を表示する処理、文字に対応付けられた画像を表示する処理のいずれかを行う。
【００１６】
図２〜図５は、図１に示す印刷物処理システム１において、拡張現実処理手段３７がディスプレイ３５に表示する画像の一例を説明するため図である。
図２及び図３に示すように、拡張現実処理手段３７は、パンフレット上の２次元図形が３次元画像として表示する処理を行う。
また、図４に示すように、拡張現実処理手段３７は、撮像結果が静止画であっても、それに応じた動きのある画像（映像）を表示する処理をしてもよい。
また、図５に示すように、拡張現実処理手段３７は、撮像結果がテキストであっても、それを特徴点として認識して、テキスト内容に応じた画像を表示するようにしてもよい。
【００１７】
以下、図１に示す印刷物処理システム１の作用について説明する。
図６は、図１に示す印刷物処理システム１の作用について説明するためのフローチャートである。
ステップＳＴ１：
印刷物製造手段１１は、例えば、拡張現実用の特徴点を含む印刷が施されたパンフレット等の印刷物４１を製造する。
【００１８】
ステップＳＴ２：
ステップＳＴ１で製造した印刷物４１を配布する。
【００１９】
ステップＳＴ３：
ステップＳＴ２で配布を受けた者が、自らの携帯通信装置２１の撮像手段３１を使って印刷物４１を撮像する。
【００２０】
ステップＳＴ４：
携帯通信装置２１の拡張現実処理手段３７は、撮像手段３１の撮像結果からその特徴点を抽出し、当該抽出した特徴点を含む要求を通信手段３３を介してサーバ３に送信する。
【００２１】
ステップＳＴ５：
サーバ３は、ステップＳＴ４で携帯通信装置２１から受信した特徴点と画像とを予め対応付けており、拡張現実処理手段３７からの要求に応じて、当該要求に含まれる特徴点に対応付けられた画像を取得して通信手段３３に送信する。
携帯通信装置２１の拡張現実処理手段３７は、通信手段３３がサーバ３から受信した図２〜図５等の画像をディスプレイ３５に表示する処理を行う。
【００２２】
以上説明したように、印刷物処理システム１によれば、印刷物４１の印刷の他に、携帯通信装置２１の撮像手段３１で印刷物４１を撮像することで、拡張現実処理手段３７によりディスプレイ３５に図２〜図５のようなインパクトがある画像を表示することができる。
これにより、印刷物４１による情報発信効果を高めることができる。
【００２３】
印刷物処理システム１は、例えば、動くパンフレットで、自社情報や商品の詳しい紹介する場合等に適用可能である。文字だけでは中々伝わり辛い情報や最近追加された情報、あるいは自社商品が実際に動く様子やお客様の声などを３Ｄ、映像といった素材で体験させることができる。
【００２４】
また、印刷物処理システム１は、商品カタログを動くカタログにすることができる。
また、印刷物処理システム１は、美術館や博物館などの展示物の前に掲示された説明文や画像にかざすと、展示物の詳しい説明が紹介動画で見られるようにすることもできる。
【００２５】
“静止画＋音声” といった構成も可能なので、展示物を見ながら音声を聴く、という使い方もできる。
映像については、既に撮影済の映像素材にアップロードされた映像を読み込むことも可能である。
【００２６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２７】
上述した実施形態では、携帯通信装置２１の拡張現実処理手段３７で抽出した特徴点をサーバ３に送って、サーバ３から対応する画像を受信して表示する場合を例示したが、サーバ３と通信を行わずに、印刷物処理システム１内に特徴点に対応する画像を記憶しておいてもよい。これにより、オフラインでも動作できる。
【００２８】
また、図２〜図５を用いて説明したディスプレイ３５に表示する画像は、一例であり、表示又は出力するのは、その他の画像や音響でもよい。
【産業上の利用可能性】
【００２９】
本発明は、印刷物を用いた印刷物処理システムに適用可能である。
【符号の説明】
【００３０】
１…印刷物処理システム
３…サーバ
１１…印刷物製造手段
２１…携帯通信装置
３１…撮像手段
３３…通信手段
３５…ディスプレイ
３７…拡張現実処理手段
４１…印刷物
【図１】
2020009282.tif 000003
【図２】
2020009282.tif 000004
【図３】
2020009282.tif 000005
【図４】
2020009282.tif 000006
【図５】
2020009282.tif 000007
【図６】
2020009282.tif 000008